(57)【要約】【課題】レンズ付カメラで撮影された画像を携帯端末で利用することができるレンズ付フィルムからの画像情報転送方法を提供することを目的とする。【解決手段】撮影後の未現像フィルム（８２、１８２）をレンズ付きフィルム（８０）から取出して現像し、現像済みフィルムをスキャンしてデジタル画像（１１０）を生成し、画像転送要求情報（９６、１９６）に基づいてデジタル画像をウエブサイト（２０）上へアップロードし、ウエブサイト上から携帯端末（７０）にデジタル画像に対応したデジタルデータ（１２０）をダウンロードすることを特徴とする。【選択図】      図１
2004254233.tif 000002
【特許請求の範囲】
【請求項１】
画像転送要求情報が付加され、未現像フィルムを内蔵したレンズ付きフィルムで撮影した画像に対応する画像情報を転送する画像情報転送方法において、
撮影後の未現像フィルムを前記レンズ付きフィルムから取出して現像し、
現像済みフィルムをスキャンしてデジタル画像を生成し、
前記画像転送要求情報に基づいて前記デジタル画像をウエブサイト上へアップロードし、
前記ウエブサイト上から携帯端末に前記デジタル画像に対応したデジタルデータをダウンロードすることを特徴とする画像情報転送方法。
【請求項２】
前記画像転送要求情報は、前記未現像フィルム上に潜像バーコードとして形成されている請求項１に記載の画像情報転送方法。
【請求項３】
前記画像転送要求情報は、前記未現像フィルムが格納されるＡＰＳカートリッジのバーコードディスクに記載されている請求項１に記載の画像情報転送方法。
【請求項４】
前記デジタルデータは、前記携帯端末の表示機能に応じて、前記デジタル画像から生成される請求項１〜３の何れか一項に記載の画像情報転送方法。
【発明の詳細な説明】
【０００１】
【発明の属する技術分野】
本発明は、レンズ付フィルムで撮影した画像に対応した画像情報を携帯電話等の携帯端末に転送する画像情報転送方法に関し、特にデジタルカメラを用いなくても、画像を携帯電話で鑑賞等することを可能とするレンズ付フィルムからの画像情報転送方法に関する。
【０００２】
【従来の技術】
従来、レンズ付フィルムで撮影された画像に対応するデジタル画像を生成し、生成されたデジタル画像をサービス提供元にネットワークを介して送信するサービス仲介システムが知られている（例えば、特許文献１）。
【０００３】
このようなサービス仲介システムでは、ユーザは、画像を記録したレンズ付フィルムとサービス（車や不動産に関する査定）の申し込み書を現像代理店に提出する。次に、ＤＰＥショップはレンズ付フィルムで撮影された画像に対応するデジタル画像及び申し込み書に記載された情報を管理サーバへ転送する。管理サーバは、デジタル画像及び申し込み書に記載された情報をサービス提供元に送信する。サービス提供元は、受信したデジタル画像及び申し込み書に記載された情報に基づいて例えば車の査定を行う。
【０００４】
【特許文献１】
特開２００２−３１２６２３号公報（図５）
【０００５】
【発明が解決しようとする課題】
しかしながら、撮影されたレンズ付フィルムと申込書を受取ったＤＰＥショップでは、通常のレンズ付フィルム又はフィルムからの現像依頼も当然受付ける。レンズ付フィルムの現像を行う場合には、一旦レンズ付フィルムを分解し、撮影済みフィルムが内蔵されているパトローネを取出し、さらにパトローネから未現像フィルムを取出して現像処理を行う必要がある。しかしながら、管理サーバに送信するためにデジタル画像を生成するものと、通常のプリント作業を行うもとを区別することは困難であり、依頼を受けていないものからデジタル画像を生成したり、必要なものからデジタル画像を生成できなかったりするという不具合があった。
【０００６】
また、撮影されたレンズ付フィルムから生成されたデジタル画像はサービス提供元に送信されるのみであって、レンズ付フィルムで撮影された画像を携帯端末で再利用することはできなかった。
【０００７】
そこで、本発明は、レンズ付カメラで撮影された画像を携帯端末で利用することができるレンズ付フィルムからの画像情報転送方法を提供することを目的とする。
【０００８】
また、本発明は、携帯端末で利用するためのレンズ付カメラと、他の一般のレンズ付きフィルム又はフィルムとを混同することなく、デジタル画像を生成することを可能としたレンズ付フィルムからの画像情報転送方法を提供することを目的とする。
【０００９】
【課題を解決するための手段】
上記の目的を達成するために、本発明に係る画像情報転送方法は、撮影後の未現像フィルムをレンズ付きフィルムから取出して現像し、現像済みフィルムをスキャンしてデジタル画像を生成し、画像転送要求情報に基づいてデジタル画像をウエブサイト上へアップロードし、ウエブサイト上から携帯端末にデジタル画像に対応したデジタルデータをダウンロードすることを特徴とする。レンズ付きフィルムで撮影した画像を、携帯端末で簡単に利用できるようにしたものである。
また、本発明に係る画像情報転送方法では、画像転送要求情報は、未現像フィルム上に潜像バーコードとして形成されていることが好ましい。潜像バーコードを利用して、ＤＰＥショップ等で通常のフィルムと混同が生じないようにしたものである。
【００１０】
さらに、本発明に係る画像情報転送方法では、画像転送要求情報は、未現像フィルムが格納されるＡＰＳカートリッジのバーコードディスクに記載されていることが好ましい。ＡＰＳカートリッジのバーコードディスクを利用して、ＤＰＥショップ等で通常のフィルムと混同が生じないようにしたものである。
【００１１】
さらに、本発明に係る画像情報転送方法では、デジタルデータは、携帯端末の表示機能に応じて、前記デジタル画像から生成されることが好ましい。携帯端末の表示画面に合わせて、ダウンロードする画像を調整したものである。
【００１２】
【発明の実施の形態】
以下、本発明に係るレンズ付フィルムからの画像情報転送方法を添付図面を参照して詳述する。
【００１３】
図１に、本発明に係るレンズ付フィルムからの画像情報転送方法を実施するための全体システムの概要を示す。システムサーバ２０、ＰＣ（パーソナルコンピュータ）３０（又はデジタルミニラボ４０）、携帯電話会社６０が、ＬＡＮ、ＷＡＮ、インターネット等のクローズ又はオープンなネットワーク１０に対して、相互にアクセス可能に接続されている。
【００１４】
システムサーバ２０及びＰＣ３０は、少なくとも、ＣＰＵ等から構成される制御部、各種データの送受信を行うための送受信部、ディスプレイ等の表示部、メモリや各種記録媒体等から構成される記憶部、及びキーボード及びマウス等から構成される入力操作部を有している。また、システムサーバ２０及びＰＣ３０の各記憶部には、各種処理を行うためのプログラム等が記憶されているものとする。
【００１５】
以下、レンズ付きフィルム８０で撮影した画像１００を携帯端末（携帯電話、ＰＨＳ等）７０で利用する手順の概要について説明する。
【００１６】
ユーザはＤＰＥショップ５０等で、携帯端末で撮影された画像を利用することが明記されたレンズ付きフィルム８０（即ち、画像転送要求情報が付加されているレンズ付きフィルム）を購入し、画像１００を撮影する。撮影された画像１００は、レンズ付きフィルムに装填されているフィルムに潜像として記録される。撮影終了後、ユーザは撮影済みのレンズ付きフィルム８０をＤＰＥショップ５０へ持ち込み、現像依頼を行う。ＤＰＥショップ５０では、レンズ付きフィルム８０を分解して潜像が形成された未現像フィルムを取出して、現像処理を行う。次に、現像済みのフィルムをデジタルミニラボ４０に挿入して、プリント処理を行う。デジタルミニラボ４０は、挿入されたフィルムが携帯端末で利用させる目的のフィルムか否か（画像転送要求情報付きか否か）を判別する。携帯端末で利用されるべきフィルムである場合には、自動的にデジタル画像１１０を直接システムサーバ２０へアップロード、又はＰＣ３０を経由して間接的にシステムサーバ２０へアップロードする。
【００１７】
システムサーバ２０は、デジタル画像１１０の受信に応じてＩＤ番号を付与して、ＰＣ３０又はデジタルミニラボ４０へ送信する。ＤＰＥショップ５０では、デジタルミニラボ４０から出力された写真プリントとＩＤ番号をユーザに手渡す。システムサーバ２０は、受信したデジタル画像１１０を、ユーザの携帯端末７０の表示機能に合わせて調整して新たにデジタル画像１２０を作成する。ユーザは、写真プリント自体を鑑賞することができると共に、受領したＩＤ番号を用いて、システムサーバ２０（ウエブサイト）へアクセスし、レンズ付きフィルム８０で撮影した画像に対応するデジタル画像１２０を携帯端末７０でダウンロードして利用することができる。受信した画像は、自己の携帯端末７０の待受け画面に設定することや、友人に転送して複数人間で画像を楽しむこと等が可能となる。
【００１８】
図２に、本発明に用いられるレンズ付フィルム８０の一例を示す。レンズ付フィルム８０は、所定枚数の未現像の３５ｍｍネガ又はポジフィルム８２及び撮影レンズを有しており、付属のシャッタ機構により所定枚数の写真撮影が簡単に行えるように構成されている。また、撮影後、未現像の３５ｍｍネガ又はポジフィルム８２は、パトローネ８４に巻き取られる。レンズ付フィルム８０は、紙、アルミ又はプラスチック等の遮光材料で形成されたパッケージ８６中に梱包されて販売される。パッケージ８６の外観には、このレンズ付フィルムで撮影した画像が携帯端末で利用できるように処理されることが明記されている（即ち、画像転送以来情報が付加されている旨が明記されている）。
【００１９】
図３に、本発明に利用されるレンズ付きフィルム８０に装填されていた３５ｍｍネガ又はポジフィルム８２の現像後の一例を示す。図３に示すように、フィルム８２は、パーフォレーション９０、及びネガ又はポジ画像が形成される領域９２を有している。また、各画像形成領域９２に対応したコマ番号やＩＳＯコード等を表すバーコード９４、及び携帯端末で利用されることを示すバーコード９６（画像転送要求情報）が書き込まれている。バーコード９４及び９６は、レンズ付きフィルム８０に装填される前に予め適当な光量によって露光されて未現像フィルムに書き込まれており、潜像バーコードと言われる。
【００２０】
図４に、本発明に利用されるデジタルミニラボ４０の機能を説明するための概略構成図を示す。デジタルミニラボ４０は、制御部４００、モニタ４０２、キーボード及びマウス等から構成される操作部４０４、レンズ付きフィルム８０に装填されていた現像済みのネガ又はポジフィルムからデジタル画像１１０を読取るためのフィルムスキャナ４５０、各種記録メディアに記録されたデジタル画像情報を入力するためのメディア読取部４０６、ネットワーク１０を経由してデジタル画像１１０及び各種制御信号等の各種データの送受信を行うための送受信部４０８、印画紙１５０にカラー潜像の記録を行うための露光ヘッド４１０、デジタル画像１１０を記録するための画像メモリ４１２、カラー印画紙１５０の現像プロセスを制御するための駆動部４１４、及び現像部を有している。各構成は、バス４１６によって相互に接続されている。現像部は、複数種類のサイズ幅の印画紙用カートリッジ４１８、カッター４２０、露光部４２２、現像処理部４２４、乾燥部４２６及びスタッカー４２８等から構成されている。
【００２１】
なお、デジタルミニラボ４０は、必ずしも送受信部４０８を有している必要は無い。その場合、デジタル画像１１０は、ネットワーク１０に接続されているＰＣ３０等を経由して送信されることとなる。また、一般のパーソナルコンピュータをデジタルミニラボと接続して、送受信部４０８として動作させることもできる。
【００２２】
図５に、３５ｍｍのネガ又はポジフィルム８２からデジタル画像１１０を読取るためのフィルムスキャナ４５０の一例を示す。フィルムスキャナ４５０は、拡散光を射出するための光源部４５１、光学系４５２、ＹＭＣ各色光の光量を受光して受光した光量に応じたデジタル値を出力するためのＣＣＤラインセンサ４５３、潜像バーコードを読取るためのセンサ４５４、フィルム搬送機構４５５、及び搬送ガイド４５６を有している。
【００２３】
３５ｍｍのネガ又はポジフィルム８２は、フィルムスキャナ４５０に挿入されると、搬送機構４５５によって搬送されながら、ＣＣＤラインセンサ４５３によって走査されて、デジタル画像情報として出力される。その間センサ４５４によって、現像された潜像バーコードが読取られる。したがって、センサ４５４からのデータに基づいて、読取られているフィルムが携帯端末で利用されるためのものであるか否かを、潜像バーコード９６によって判別することができる。
【００２４】
図６に、ＡＰＳカートリッジ１８４の概略図を示す。レンズ付フィルム８０には、ＡＰＳ対応の２４ｍｍネガ又はポジフィルム１８２及びＡＰＳカートリッジ１８４が装填される場合もある。図６（ａ）はＡＰＳカートリッジの正面図、図６（ｂ）は左側面図、図６（ｃ）は右側面図である。図に示されるように、ＡＰＳカートリッジ１８４は、シャッタ１８８を有し、シャッタ開閉機構１９０及び１９２を回転させることによってシャッタ１８８を開閉することが可能に構成されている。シャッタ１８８を開いた後、軸１９４を回転させることによって、ＡＰＳフィルム１８２をＡＰＳカートリッジ１８４から出し入れすることができる。
【００２５】
また、ＡＰＳカートリッジ１８４の一方の側面にはバーコードディスク１８６（図６（ｄ）参照）が、軸１９４の回転に同期して回転するように取付けられている。バーコードディスク１８６には、該当するＡＰＳカートリッジ１８４に装填されているフィルム１８２が携帯端末で利用されるべきものであること（画像転送要求情報）を表示させることが可能である。
【００２６】
図７に、ＡＰＳ対応のネガ又はポジフィルム１８２からデジタル画像１１０を読取るためのフィルムスキャナ４５０の他の例を示す。フィルムスキャナ４５０は、拡散光を射出するための光源部４５１、光学系４５２、ＹＭＣ各色光の光量を受光して受光した光量に応じたデジタル値を出力するためのＣＣＤラインセンサ４５３、フィルム搬送機構４５５、及び搬送ガイド４５６を有している。
【００２７】
ＡＰＳカートリッジ１８４は、不図示の開閉機構によってシャッタ１８８が開放されたのち、不図示の駆動機構によって軸１９４が回転されて、ＡＰＳ対応フィルム１８２がカートリッジ１８４から取出される。取出された現像済みフィルム１８２は、搬送機構４５５によって搬送されながら、ＣＣＤラインセンサ４５３によって走査されて、デジタル画像情報として出力される。軸１９４の回転にともなって、バーコードディスク１８６も回転するので、不図示のセンサによってバーコードディスク１８６の表示内容を読取ることによって、読取られているフィルムが携帯端末で利用されるためのものであるか否かを、判別することができる。
【００２８】
なお、最終コマの読取り終了後、軸１９４は逆転されて、ＡＰＳ対応フィルム１８２は再度カートリッジ１８４に中へ巻き戻される。
【００２９】
以下、３５ｍｍのネガ又はポジフィルム８２がレンズ付きフィルム８０に装填されている場合おける、本発明に係る画像情報転送方法について説明する。
【００３０】
図８に、デジタルミニラボ４０側の詳細な手順のフローを示す。
【００３１】
最初、少なくともユーザの携帯端末のメールアドレスを含むユーザ情報が、デジタルミニラボ４０に入力される（ステップ８０１）。
【００３２】
デジタルミニラボ４０は、３５ｍｍのネガ又はポジフィルム８２が検知されるまで待機状態にある（ステップ８０２）。
【００３３】
次に、先端の潜像バーコード９６がセンサ４５４で読取られ、携帯端末で利用されるべき３５ｍｍのネガ又はポジフィルム８２であるか否かが判断される（ステップ８０３）。
【００３４】
ステップ８０３で携帯端末で利用されるべき３５ｍｍのネガ又はポジフィルムでないと判断された場合には、通常通りコマ毎にフィルムのスキャンが行われ（ステップ８０４）、読取られたデジタル画像情報に応じたプリントが露光部４１０でなされて、プリントが出力される（ステップ８０５）。スキャン及びプリントが最終コマまで継続されて（ステップ８０６）、一連の動作を終了する。
【００３５】
ステップ８０３で、携帯端末で利用されるべき３５ｍｍのネガ又はポジフィルム８２であると判断された場合には、ステップ８０７へ進んで、コマ毎にフィルムのスキャンが行われ、読取られたデジタル画像情報に応じた露光が露光部４１０でなされて、プリントが出力される（ステップ８０８）。さらに、読取られたデジタル画像が画像メモリ４１２に記憶される（ステップ８０９）。スキャン、プリント及び画像データの移行が最終コマまで継続される（ステップ８１０）。
【００３６】
次に、画像メモリ４１２に記憶されている最終コマまでのデジタル画像が、ネットワーク１０を介してシステムサーバ２０へアップロードされる（ステップ８１１）。システムサーバ２０へのアップロードは、デジタルミニラボ４０が直接ネットワーク１０と接続されている場合には、予め定められているプロトコルにしたがって送受信部４０８が行う。また、デジタルミニラボ４０が直接ネットワーク１０と接続されてない場合には、デジタルミニラボ４０からデジタル画像データが一旦ＰＣ３０へ直接又は記録媒体を介して転送され、ＰＣ３０が有している送受信部により、予め設定されているプロトコルにしたがって、システムサーバ２０へ送信される。
【００３７】
次に、システムサーバ２０から、デジタル画像のＩＤ番号を受信して（ステップ８１２）、その番号をユーザへ渡すための印画紙１５０へ出力又はモニタ４０２に表示して（ステップ８１３）、一連の動作を終了する。
【００３８】
以下、ＡＰＳ用のネガ又はポジフィルム１８２がレンズ付きフィルム８０に装填されている場合おける、本発明に係る転送方法について説明する。
【００３９】
図９に、デジタルミニラボ４０側の詳細な手順のフローを示す。
【００４０】
最初、少なくともユーザの携帯端末のメールアドレスを含むユーザ情報が、デジタルミニラボ４０に入力される（ステップ９０１）。
【００４１】
デジタルミニラボ４０は、ＡＰＳ用のカートリッジ１８４がフィルムスキャナ４５０にセットされるまで待機状態にある（ステップ９０２）。
【００４２】
次に、ＡＰＳカートリッジ１８４のバーコードディスク１８６がセンサで読取られ、携帯端末で利用されるべきＡＰＳ用のネガ又はポジフィルム１８２であるか否かが判断される（ステップ９０３）。
【００４３】
ステップ９０３で携帯端末で利用されるべきＡＰＳ用のネガ又はポジフィルムでないと判断された場合には、通常通りコマ毎にフィルムのスキャンが行われ（ステップ９０４）、読取られたデジタル画像情報に応じたプリントが露光部４１０でなされて、プリントが出力される（ステップ９０５）。スキャン及びプリントが最終コマまで継続されて（ステップ９０６）、その後再度フィルムがＡＰＳカートリッジ１８４内に巻き取られて（ステップ９０７）、一連の処理を終了する。
【００４４】
ステップ９０３で、携帯端末で利用されるべきＡＰＳ用のネガ又はポジフィルム１８２であると判断された場合には、ステップ９０８へ進んで、コマ毎にフィルムのスキャンが行われ、読取られたデジタル画像情報に応じた露光が露光部４１０でなされて、プリントが出力される（ステップ９０９）。さらに、読取られたデジタル画像が画像メモリ４１２に記憶される（ステップ９１０）。スキャン、プリント及び画像データの記録が最終コマまで継続される（ステップ９１１）。
【００４５】
次に、画像メモリ４１２に記憶されている最終コマまでのデジタル画像が、ネットワーク１０を介してシステムサーバ２０へアップロードされる（ステップ９１２）。システムサーバ２０へのアップロードは、デジタルミニラボ４０が直接ネットワーク１０と接続されている場合には、予め定められているプロトコルにしたがって送受信部４０８が行う。また、デジタルミニラボ４０が直接ネットワーク１０と接続されてない場合には、デジタルミニラボ４０からデジタル画像データが一旦ＰＣ３０へ直接又は記録媒体を介して転送され、ＰＣ３０が有している送受信部により、予め設定されているプロトコルにしたがって、システムサーバ２０へ送信される。
【００４６】
次に、システムサーバ２０から、デジタル画像のＩＤ番号を受信して（ステップ９１３）、その番号をユーザへ渡すための印画紙１５０へ出力又はモニタ４０２に表示して（ステップ９１４）、前述したステップ９０７を行い、一連の処理を終了する。
【００４７】
このようにして、次々と種々のフィルム又はＡＰＳカートリッジがセットされるデジタルミニラボ４０は、潜像バーコード９６又はバーコードディスク１８６に基づいて携帯端末で利用されるべきものか否かを判断し、そうである場合には、同時プリントと並行してデジタル画像データを記録し、一括してシステムサーバ２０へ画像データをアップロードすることができる。なお、１コマ毎に画像データをシステムサーバ２０へアップロードするようにしても良い。さらに、ＰＣ３０を利用して、デジタルミニラボ４０で読取ったデジタル画像データを読取りとは別のタイミングでシステムサーバ２０へアップロードする場合には、別途ユーザの個別情報（氏名、携帯の番号、メールアドレス等）をＰＣの３０の操作部から入力し、デジタル画像と一緒にシステムサーバ２０へ送信するようにしても良い。
【００４８】
図１０に、システムサーバ２０側での詳細な処理手順について説明する。
【００４９】
最初に、ＤＰＥショップ５０のＰＣ３０又はデジタルミニラボ４０から、少なくともＤＰＥショップ番号データ、ユーザのメールアドレス及び画像データを受信する（ステップ１００１）。なお、ユーザに関する他の情報（氏名、住所等）を合わせて受信することが好ましい。より詳しいユーザに関するデータベースを作成することができるからである。
【００５０】
次に、受信した画像データをシステムサーバ２０の記録部に記録し（ステップ１００２）、記録した一連の画像データに対して１つのＩＤ番号を決定する（ステップ１００３）。
【００５１】
次に、ステップ１００１で受信したＤＰＥショップ番号に基づいて、ステップ１００３で決定した受信した画像データに対応するＩＤ番号を送信する（ステップ１００４）。
【００５２】
次に、ステップ１００１で受信したステップ１００３で決定されたＩＤ番号が付与された画像データがシステムサーバ２０にアップロードされたことを知らせるメールを作成する（ステップ１００５）。メールは予め作成されているテンプレートにステップ１００３で決定されたＩＤ番号をはめ込むことによって作成される。
【００５３】
次に、ステップ１００１で受信したメールアドレスに対して、ステップ１００５で作成したメールを送信する（ステップ１００６）。このメールによって、携帯端末を有するユーザに、レンズ付きフィルムで撮影した画像がシステムサーバ２０へアップロードされたことを告知するものである。
【００５４】
なお、メールを送信するためのプロトコル上のデータのやり取りから、システムサーバ２０は、ユーザの保持する携帯端末の表示画面に関するデータを取得する（ステップ１００７）。
【００５５】
次に、取得したユーザの携帯端末の表示画面に関するデータに応じて、記録されているデジタル画像データを修正して再記録する（ステップ１００８）。ユーザの保持する携帯端末の画面で見やすい様にしたものである。
【００５６】
その後、ユーザの携帯端末から予め付与したＩＤ番号に基づいたアクセスがあった場合には、システムサーバ２０は、記録されているデジタル画像１２０を全てユーザに公開する。ユーザは、所望の画像を選択してダウンロードすることによって、自己の携帯端末で、レンズ付きフィルムで撮影した画像を利用することが可能となった。
【００５７】
最近、デジタルカメラとしても利用することができる携帯端末が増えているが、携帯端末におけるデジタルカメラとしての機能は低く、高画質な画像を記録することはできていない。また、レンズ付きカメラでは、携帯端末に付加されているレンズでは撮影することができないワイドな画像や、フラッシュ撮影を行うことができる。したがって、レンズ付きフィルムで撮影をした画像を上記方法にしたがって、携帯端末で利用することができる意義は大きい。
【００５８】
【発明の効果】
このように、本発明に係る画像情報転送方法では、レンズ付きフィルムで撮影した画像を、携帯端末で容易に利用することが可能となった。
【００５９】
また、本発明に係る画像情報転送方法では、フィルムからのプリント処理と並行して、確実にデジタル画像をシステムサーバ２０へアップロードすることができるので、その他のフィルムを混在した状態でも確実に処理を行うことが可能となった。
【図面の簡単な説明】
【図１】本発明を実施するための全体システムの概要を示す図である。
【図２】本発明で利用されるレンズ付きフィルムの一例を示す図である。
【図３】現像済みフィルムの一例を示す図である。
【図４】デジタルミニラボの機能を説明するための概念図である。
【図５】３５ｍｍ用のフィルムスキャナの一例を示す図である。
【図６】ＡＰＳ用フィルムカートリッジの概略を示す図である。
【図７】ＡＰＳ用のフィルムスキャナの一例を示す図である。
【図８】本発明に係る画像利用方法における、３５ｍｍフィルムを利用した場合のＤＰＥショップ側の手順を示すフロー図である。
【図９】本発明に係る画像利用方法における、ＡＰＳフィルムを利用した場合のＤＰＥショップ側の手順を示すフロー図である。
【図１０】本発明に係る画像利用方法における、システムサーバ側の手順を示すフロー図である。
【符号の説明】
２０…システムサーバ２０
３０…ＰＣ
４０…デジタルミニラボ
１００…撮影画像
１１０…読取られたデジタル画像
１２０…配信画像
【図１】
2004254233.tif 000003
【図２】
2004254233.tif 000004
【図３】
2004254233.tif 000005
【図４】
2004254233.tif 000006
【図５】
2004254233.tif 000007
【図６】
2004254233.tif 000008
【図７】
2004254233.tif 000009
【図８】
2004254233.tif 000010
【図９】
2004254233.tif 000011
【図１０】
2004254233.tif 000012